(57)【要約】【課題】  ボール転向部分の取り付けに調整を必要とすることなく、直動軸受の両方の軸方向端部のために、左右の構造で差異が不要な直動軸受を提供する。【解決手段】  直線ガイド上を往復台が並進的に移動できる直線ガイドを備えた直動軸受において、直線ガイドと往復台との間で、多数のボールが配置され、多数のボールは直線ガイドと往復台との間の接触範囲内で直線上に配置され、その際、ボール転向部分が直線の両端部に接続し、直線ガイドと往復台との間のボールの接触範囲外で、ボール転向部分に続いてボール逆行部分が接続し、ボールは、直線ガイドと往復台との間、ボール転向部分とボール逆行部分との間で直線に沿って連続的に転向でき、ボール転向部分は端部分とボール転向体とを有し、その際、端部分はボールを案内するための向斜形状の窪みを有し、ボール転向体は半球形部分または半楕円形部分を有し、向斜形状の窪みと半球形部分または半楕円形部分との間に、直動軸受の取付け状態で、ボールのための転向路が構成されるので、できる。【選択図】図１
2004263858.tif 000002
【特許請求の範囲】
【請求項１】
直線ガイド上を往復台が並進的に移動できる直線ガイド（２）を備えた直動軸受（１）において、直線ガイド（２）と往復台との間で、多数のボール（３）が配置され、多数のボールは直線ガイド（２）と往復台との間の接触範囲内で直線（４）上に配置され、その際、ボール転向部分（５）が直線（４）の両端部に接続し、直線ガイド（２）と往復台との間のボール（３）の接触範囲外で、ボール転向部分（５）に続いてボール逆行部分（６）が接続し、ボール（３）は、直線ガイド（２）と往復台との間、ボール転向部分（５）とボール逆行部分（６）との間で直線（４）に沿って連続的に転向でき、ボール転向部分（５）は端部分（７）とボール転向体（８）とを有し、その際、端部分（７）はボール（３）を案内するための向斜形状の窪み（９）を有し、ボール転向体（８）は半球形部分または半楕円形部分（１０）を有し、向斜形状の窪み（９）と半球形部分または半楕円形部分（１０）との間に、直動軸受（１）の取付け状態で、ボール（３）のための転向路が構成されることを特徴とする直動軸受。
【請求項２】
前記ボール転向体（８）は、半球形部分または半楕円形部分（１０）から延びるピン形状部分（１１）を有することを特徴とする請求項１に記載の直動軸受。
【請求項３】
前記ピン形状部分（１１）は、直線ガイド（２）で固定配置されることを特徴とする請求項２に記載の直動軸受。
【請求項４】
前記ボール転向体（８）は、ピン形状体を有することを特徴とする請求項１から請求項３のいずれか１項に記載の直動軸受。
【請求項５】
前記ボール転向体（８）は、その半球形部分または半楕円形部分（１０）の一部分が、球形または楕円形に適合される端部分（７）の第１、第２部分（１２、１３）に当たることを特徴とする請求項１から請求項４のいずれか１項に記載の直動軸受。
【発明の詳細な説明】
【技術分野】
【０００１】
本発明は、直線ガイド上を往復台が並進的に移動できる直線ガイドを備えた直動軸受において、直線ガイドと往復台との間で、多数のボールが配置され、多数のボールは直線ガイドと往復台との間の接触範囲内で直線上に配置され、その際、ボール転向部分が直線の両端部に接続し、直線ガイドと往復台との間のボールの接触範囲外で、ボール転向部分に続いてボール逆行部分が接続し、ボールは、直線ガイドと往復台との間、ボール転向部分とボール逆行部分との間で直線に沿って連続的に転向できることを特徴とする前記直動軸受に関する。
【背景技術】
【０００２】
この種の直動軸受は、例えば、ドイツ特許第４０２２１６８号明細書から周知である。そこでは、搬送体の端面上で平坦な基準面が装着されるＵ形状軸受部材から成るボール転向装置が使用されている。ボールは、ボール転向体の円筒外面と転向キャップとの間で走行する。
【０００３】
類似の解決策は、ドイツ特許第３６３９５４４号明細書から周知である。そこでは、ボール転向通路をカバープレート内に形成するために、ボール転向フランジ溝内に嵌め込まれる中間部材が使用される。中間部材の外表面は、平坦に構成され、円筒形外スリーブと接触する。ボールは中間部材のガイドレール上を転動する。
【０００４】
英国特許第９１１０７７号明細書によると、ボールを転向するフランジ溝は、端部材の窪みと、ガイドレールの端範囲に装着される半円形状の突出部との組み合わせにより形成される。
【０００５】
周知な解決策では、ボール転向部分を調整して取付けなければならず、たいていは、直動軸受の両方の軸方向端部のために、左右の構造で差異が必要となる欠点がある。
【特許文献１】ドイツ特許第４０２２１６８号明細書
【特許文献２】ドイツ特許第３６３９５４４号明細書
【特許文献３】英国特許第９１１０７７号明細書
【発明の開示】
【発明が解決しようとする課題】
【０００６】
それで、本発明は、この欠点を回避するようにして最初に述べた種類の直動軸受を継続することを課題とする。つまり、直動軸受のボール転向装置が簡単に取付けられ、さらに、ボールの良好なセンタリングを実行しなければならない。さらに、取り入れおよび取り外しが、できる限り正確で障害縁なしに行うことができ、左右のボール転向要素間の相違は、もはや必要とならない。
【課題を解決するための手段】
【０００７】
この課題の解決策は、本発明によると、ボール転向部分が端部分と、ボール転向体と、その際、端部分はボールの案内のための向斜状窪みを有し、ボール転向体は半球形部分または半楕円形部分とを有し、向斜状窪みと半球形部分または半楕円形部分との間で、直動軸受の取付け状態で、ボールための転向路が形成されることにより特徴付けられる。
【０００８】
また、請求項１に記載の発明において、直線ガイド上を往復台が並進的に移動できる直線ガイド（２）を備えた直動軸受（１）において、直線ガイド（２）と往復台との間で、多数のボール（３）が配置され、多数のボールは直線ガイド（２）と往復台との間の接触範囲内で直線（４）上に配置され、その際、ボール転向部分（５）が直線（４）の両端部に接続し、直線ガイド（２）と往復台との間のボール（３）の接触範囲外で、ボール転向部分（５）に続いてボール逆行部分（６）が接続し、ボール（３）は、直線ガイド（２）と往復台との間、ボール転向部分（５）とボール逆行部分（６）との間で直線（４）に沿って連続的に転向でき、ボール転向部分（５）は端部分（７）とボール転向体（８）とを有し、その際、端部分（７）はボール（３）を案内するための向斜形状の窪み（９）を有し、ボール転向体（８）は半球形部分または半楕円形部分（１０）を有し、向斜形状の窪み（９）と半球形部分または半楕円形部分（１０）との間に、直動軸受（１）の取付け状態で、ボール（３）のための転向路が構成されることを特徴とする。
【０００９】
また、請求項２に記載の発明において、前記ボール転向体（８）は、半球形部分または半楕円形部分（１０）から延びるピン形状部分（１１）を有することを特徴とする。
【００１０】
また、請求項３に記載の発明において、前記ピン形状部分（１１）は、直線ガイド（２）で固定配置されることを特徴とする。
【００１１】
また、請求項４に記載の発明において、前記ボール転向体（８）は、ピン形状体を有することを特徴とする。
【００１２】
また、請求項５に記載の発明において、前記ボール転向体（８）は、その半球形部分または半楕円形部分（１０）の一部分が、球形または楕円形に適合される端部分（７）の第１、第２部分（１２、１３）に当たることを特徴とする。
【００１３】
結局、半球形部分または半楕円形部分を備えたボール転向体は、ボール形状に適合される端部分に当接する。
【発明の効果】
【００１４】
本発明により提案される直動軸受の構成により、上記の課題が完全に幅広く解決される。左右のボール転向部分の相違は、もはや必要がない。「キノコ」としてのボール転向体の構成により、この部品の取付けが非常に簡単な仕方ででき、欠点のある取付けの可能性がない。それで、この直動軸受は特別簡単な仕方で製造し、取付けることができる。
【実施例】
【００１５】
本発明の実施例を図面で説明する。
図１において、直線ガイド２を有する直動軸受１が示される。転動支持の直線運動のため、通常のように、互いに相対的に直線運動をする部分の案内路間で配置される多数のボール３が設けられる。 互いに相対的に直線運動をする部分の間の接触範囲の方向は、直線４により示される。直動軸受１の軸方向端範囲でボールを転向しなければならず、そのため、ボール転向部分５が設けられる。転向されるボール３は、直動軸受１の図示しない他の軸方向端部範囲で新たに転向し、再び、両方の相対的に直線移動する部分間の接触範囲に達するために、ボール逆行部分６内で周知な仕方で戻される。
【００１６】
ボール転向部分５は、直動軸受１の軸方向端部に取付けられる端部分７を有する。図１において、その限りでは、端部分７が直動軸受１の軸方向端部から間隔を置いて描かれる展開図が示される。
【００１７】
ボール３を転向するため、キノコ形状を有するボール転向体８が設けられる。ボール転向体は、ピン形状部分１１が接続する半球形部分または半楕円形部分１０を有する。
【００１８】
それに対して、端部分７はボールの転向に役立つ向斜形状の窪み９を有する。さらに、端部分７内には、第１部分１２と第２部分１３が嵌め込まれ、端部分は、ボール転向体８、つまり、その半球形部分または半楕円形部分１０と協働してボール３のための転向路を定める。
【００１９】
その際、半球形部分または半楕円形部分１０の構成は、ボール３が案内される転向部分の転向幾何学に依存して行われる。部分１０の幾何学形状は、ボール３の取り入れが負荷領域内で改善されるように選択される。
【００２０】
全ての部品は、直動軸受の右軸方向端範囲でも左軸方向範囲でも使用できるように構成される。これは、全ての部品が左右対称であり、９０°だけ旋回可能に組み込めることを意味する。それで、それぞれの部分の仕上げにとって、１つの工具だけが必要であるので、直動軸受の製造費が著しく安くなる。
【００２１】
さらに、端部分７は、端部分７の付属の収容部内で小さい空隙で、直動軸受１の軸方向の端範囲内で走る２つの突出部１４を有する。それにより、走行路での適合が行われ、ボール３のための一種の「掻き落とし作用」が実行される。
【００２２】
提案された直動軸受の特別な長所は、ボール転向体８を経た直動軸受１内の２つの軸線方向での端部分７のセンタリングである。ボール３の流入も流出も、直動軸受の作動特性に非常に影響するセンタリングにより改善される。
【００２３】
「キノコ」として構成されるボール転向体８は、さらに、回転対称断面により、ボール転向体の取付けの際に、特別な調整処置や整列を必要とすることなく、正しい位置に取付けられる本質的な長所を有する。さらに、ボール転向体８の幾何学的な形成により、ボールの転向路に最適に保持されることが確保される。
【００２４】
その他に、ボールが転向部分内で通常の仕方で凹路内を走行する間、提案された直動軸受では、ボールが落下しない。すなわち、ボール転向体８の半球形表面または半楕円形表面は、ボール３のために凸状対向面を呈し、このことは、この範囲でのボール３に対する点接触を確立し、積極的に摩擦に影響をする。つまり、ボール転向部分とボールとの間の潤滑は通常のようではなくて、凸面と凸面との対により構成される。
【図面の簡単な説明】
【００２５】
【図１】図１は、ボール転向体を備えた直動軸受の端範囲を、３次元視野での概要を示す展開図である。
【図２】図２は、ボール転向体を備えた直動軸受の端部分を示す斜視図である。
【符号の説明】
【００２６】
１    直動軸受
２    直線ガイド
３    ボール
４    接触範囲での直線
５    ボール転向部分
６    ボール逆行部分
７    端部分
８    ボール転向体
９    向斜状の窪み
１０  半球形部分または半楕円形部分
１１  ピン形状部分
１２  端部分の第１部分
１３  端部分の第２部分
１４  突出部
【図１】
2004263858.tif 000003
【図２】
2004263858.tif 000004